(57)【特許請求の範囲】
【請求項１】
フロントの左チャンネルのオーディオ信号と、フロントの右チャンネルのオーディオ信号と、センタチャンネルのオーディオ信号と、リアの左チャンネルのオーディオ信号と、リアの右チャンネルのオーディオ信号と、低域専用チャンネルのオーディオ信号との少なくとも６チャンネルのオーディオ信号が入力する入力部と、
上記入力部に入力したフロントの左チャンネルのオーディオ信号とセンタチャンネルのオーディオ信号とリアの左チャンネルのオーディオ信号と低域専用チャンネルのオーディオ信号を混合するとともに、フロントの右チャンネルのオーディオ信号とセンタチャンネルのオーディオ信号とリアの右チャンネルのオーディオ信号と低域専用チャンネルのオーディオ信号を混合し、混合された２チャンネルのオーディオ信号を出力する信号処理部と、
上記入力部に入力した各チャンネルのオーディオ信号のうち、センタチャンネルのオーディオ信号とリアの左チャンネルのオーディオ信号とリアの右チャンネルのオーディオ信号と低域専用チャンネルのオーディオ信号を個別に出力するとともに、フロントの左チャンネルのオーディオ信号およびフロントの右チャンネルのオーディオ信号、または上記信号処理部で混合された２チャンネルのオーディオ信号を選択的に出力する第１の出力部と、
上記入力部に入力した各チャンネルのオーディオ信号のうち、フロントの左チャンネルのオーディオ信号およびフロントの右チャンネルのオーディオ信号、または上記信号処理部で混合された２チャンネルのオーディオ信号を選択的に出力する第２の出力部とを備え、
上記第１の出力部で、据え置き型のスピーカ装置用に増幅されたオーディオ信号を出力することと、上記第２の出力部は、ヘッドホン装置用に増幅されたオーディオ信号を出力することを同時に行えるようにした
オーディオ信号処理装置。
【発明の詳細な説明】
【０００１】
【発明の属する技術分野】
本発明は、例えばＡＶアンプ装置と称されるオーディオ機器に適用して好適なオーディオ信号処理装置に関し、特にマルチチャンネルオーディオ信号を処理する装置に関する。
【０００２】
【従来の技術】
従来、オーディオ信号源である再生装置などを接続すると共に、その再生装置側から供給されるオーディオ信号に増幅などの処理を施して、処理されたオーディオ信号を接続されたスピーカ装置に供給して放音させるアンプ装置として、ＡＶアンプ装置（オーディオ・ビジュアル・センター・アンプリファイア装置を略したもの）と称されるものがある。ＡＶアンプ装置は、例えば映像に同期したオーディオ信号（映像とは無関係のオーディオ信号が入力する場合もある）の高度な処理などが行える多機能化されたオーディオ機器であり、音場や音質などを任意の状態に設定できるようにしてある。
【０００３】
このＡＶアンプ装置は、入力されるオーディオ信号として、通常の２チャンネルのステレオオーディオ信号の他に、マルチチャンネルオーディオ信号と称される５チャンネル程度のオーディオ信号が入力される場合もある。例えば、フロントの左チャンネルと、フロントの右チャンネルと、センターチャンネルと、リアの左チャンネルと、リアの右チャンネルと、低域専用チャンネルの合計６チャンネルのオーディオ信号が入力される場合がある。なお、このようなチャンネル構成の場合には、低域専用チャンネルを０．１チャンネルと見なして、残りの５チャンネルと合わせて５．１チャンネルと称する場合がある。低域専用チャンネルは、例えば１２０Ｈｚ程度よりも低域のオーディオ信号だけが得られるチャンネルで、スーパーウーファと称される低域音だけを再生するスピーカ装置に供給して放音させる。スーパーウーファを使用しない場合には、他のチャンネルの信号に混合して、他のチャンネル用のスピーカから、高域音と共に放音させる。低域専用チャンネル以外の他のチャンネルは、それぞれのチャンネル用の配置されたスピーカ装置に供給して、例えば聴取者の周囲に配置された複数のスピーカ装置で立体的な音響空間を形成させる。
【０００４】
また、このようなＡＶアンプ装置は、スピーカ装置を接続する端子の他に、ヘッドホン装置を接続する端子も備えて、スピーカ装置からオーディオ信号を出力させる他に、ヘッドホン装置からオーディオ信号を出力させることも可能な構成にしてある。
【０００５】
【発明が解決しようとする課題】
ところで、この種のＡＶアンプ装置が備えるヘッドホン端子から出力されるオーディオ信号は、フロントの左チャンネル及び右チャンネルの２チャンネルの信号である。従って、例えば２チャンネルのオーディオ信号がＡＶアンプ装置に入力している状態で、ＡＶアンプ装置に接続されたフロントの左右のチャンネル用の据え置き型のスピーカ装置から、この２チャンネルオーディオを出力させる状態を設定したときには、ヘッドホン端子に接続されたヘッドホン装置から出力される２チャンネルオーディオは、基本的に据え置き型のスピーカ装置から出力される音と同じ状態である。
【０００６】
ところが、５チャンネルなどのマルチチャンネルのオーディオ信号がＡＶアンプ装置に入力している状態で、ＡＶアンプ装置に接続された各チャンネル用の据え置き型のスピーカ装置から、マルチチャンネルオーディオを出力させる状態を設定したときには、ヘッドホン端子に接続されたヘッドホン装置から出力される２チャンネルオーディオは、マルチチャンネルオーディオを構成する音の内のフロントの２チャンネルの音だけになり、一部の音だけをヘッドホン装置で聞くことになってまう。
【０００７】
具体的には、例えば上述した５．１チャンネルのマルチチャンネルオーディオとして、映画の音声がＡＶアンプ装置に入力している場合を想定したとき、この映画の動画像に同期した話し声（台詞）の音声は、主としてセンタチャンネルに含まれ、フロントの左右２チャンネルの信号では、音楽などの音が出力されるだけであり、ＡＶアンプ装置に接続したヘッドホン装置でフロントの左右２チャンネルの音を聞いただけでは、映画の台詞を聞き取ることはできない。また、リアのチャンネルに含まれる各種効果音なども、ヘッドホン装置で聞くことはできない。
【０００８】
この問題点を解決するためには、例えばヘッドホン装置を接続する際に、ＡＶアンプ装置内でマルチチャンネルオーディオを２チャンネルオーディオに変換する処理を行うように設定すれば良い。ところが、このように設定すると、ＡＶアンプ装置に接続された据え置き型のスピーカ装置から出力される音についても、マルチチャンネルオーディオを変換した２チャンネルオーディオになってしまう。
【０００９】
従って、従来のＡＶアンプ装置でヘッドホン装置を使用して適正なマルチチャンネルオーディオを聞く際には、単純に据え置き型のスピーカをオフとするスイッチの切換えだけでなく、マルチチャンネルオーディオの処理状態をモード設定などで設定する操作が必要であり、また、ヘッドホン装置を使用した状態から、据え置き型のスピーカ装置を使用する状態に戻す際には、元の設定状態に戻す操作が必要であり、非常に操作が複雑になる問題があった。
【００１０】
本発明の目的は、マルチチャンネルオーディオ信号のスピーカ装置からの出力とヘッドホン装置からの出力の双方が良好に行えるようにすることにある。
【００１１】
【課題を解決するための手段】
本発明は、フロントの左チャンネルのオーディオ信号と、フロントの右チャンネルのオーディオ信号と、センタチャンネルのオーディオ信号と、リアの左チャンネルのオーディオ信号と、リアの右チャンネルのオーディオ信号と、低域専用チャンネルのオーディオ信号との少なくとも６チャンネルのオーディオ信号が入力する入力部と、
上記入力部に入力したフロントの左チャンネルのオーディオ信号とセンタチャンネルのオーディオ信号とリアの左チャンネルのオーディオ信号と低域専用チャンネルのオーディオ信号を混合するとともに、フロントの右チャンネルのオーディオ信号とセンタチャンネルのオーディオ信号とリアの右チャンネルのオーディオ信号と低域専用チャンネルのオーディオ信号を混合し、混合された２チャンネルのオーディオ信号を出力する信号処理部と、
上記入力部に入力した各チャンネルのオーディオ信号のうち、センタチャンネルのオーディオ信号とリアの左チャンネルのオーディオ信号とリアの右チャンネルのオーディオ信号と低域専用チャンネルのオーディオ信号を個別に出力するとともに、フロントの左チャンネルのオーディオ信号およびフロントの右チャンネルのオーディオ信号、または上記信号処理部で混合された２チャンネルのオーディオ信号を選択的に出力する第１の出力部と、
上記入力部に入力した各チャンネルのオーディオ信号のうち、フロントの左チャンネルのオーディオ信号およびフロントの右チャンネルのオーディオ信号、または上記信号処理部で混合された２チャンネルのオーディオ信号を選択的に出力する第２の出力部とを備え、
上記第１の出力部で、据え置き型のスピーカ装置用に増幅されたオーディオ信号を出力することと、上記第２の出力部は、ヘッドホン装置用に増幅されたオーディオ信号を出力することを同時に行えるようにしたオーディオ信号処理装置としたものである。
【００１２】
この発明によると、第１の出力部からマルチチャンネルのオーディオ信号が各チャンネル毎に個別に出力されると共に、第２の出力部からは少なくともセンタチャンネルの信号成分が混合されて２チャンネルとなったオーディオが出力される。
【００１３】
【発明の実施の形態】
以下、本発明の一実施の形態を、添付図面を参照して説明する。
【００１４】
本実施の形態においては、ＡＶアンプ装置と称される映像に同期したオーディオ信号（又は映像とは無関係のオーディオ信号）の高度な処理が行えるアンプ装置に適用したものである。まず、図２を参照してこのアンプ装置が接続されたステレオ装置の全体のシステム構成例を説明する。本例のアンプ装置１０は、オーディオ信号が再生されるオーディオ機器として、コンパクトディスク（ＣＤ）と称される光ディスクからオーディオ信号を再生するディスク再生装置１と、テープカセットと称される磁気テープを使用してオーディオ信号の記録及び再生を行うテープ記録再生装置２と、ミニディスク（ＭＤ）等と称される光磁気ディスク又は光ディスクを使用してオーディオ信号の記録及び再生を行うディスク記録再生装置３とが接続してあり、それぞれの装置１，２，３で再生したオーディオ信号がアンプ装置１０に供給される。
【００１５】
また、映像信号及びオーディオ信号が再生される映像機器として、ＤＶＤ（デジタルビデオディスク）等と称される光ディスクから映像信号及びオーディオ信号を再生するビデオディスク再生装置４と、磁気テープを使用して映像信号及びオーディオ信号を記録及び再生するビデオテープ記録再生装置５とが接続してあり、それぞれの装置４，５で再生した映像信号及びオーディオ信号がアンプ装置１０に記録される。
【００１６】
また、アンプ装置１０で選択された映像信号を受像させる映像機器として、モニタ受像機６が接続してあり、さらにアンプ装置１０で選択されたオーディオ信号を放音させるスピーカとして、前方の左右に配置されたフロントスピーカ７Ｌ，７Ｒと、前方の中央部に配置されたセンタースピーカ７Ｃと、後方の左右に配置されたリアースピーカ７ＳＬ，７ＳＲと、任意の位置に配置されたスーパーウーファ７ＳＷが接続してある。スーパーウーファ７ＳＷは、予め設定された周波数（例えば１２０Ｈｚ）よりも低域の音を出力するスピーカである。他のスピーカ７Ｃ，７Ｌ，７Ｒ，７ＳＬ，７ＳＲは、この周波数よりも高域音を出力する通常のものである。これらのスピーカ装置７Ｃ，７Ｌ，７Ｒ，７ＳＬ，７ＳＲ，７ＳＷは、いわゆる据え置き型のスピーカ装置である。
【００１７】
また、本例のアンプ装置１０は、例えば前面パネル部にヘッドホン端子部５３が設けてあり、ヘッドホン装置８のプラグ８ａを挿入することで、このヘッドホン装置８からもオーディオ信号を放音させることができる構成としてある。
【００１８】
本例のアンプ装置１０に供給されるオーディオ信号としては、左右の２チャンネルのオーディオ信号の場合と、よりチャンネル数の多いマルチチャンネルのオーディオ信号の場合とがある。チャンネル数の多いオーディオ信号としては、ここではフロントの左チャンネルと、フロントの右チャンネルと、センターチャンネルと、リアの左チャンネルと、リアの右チャンネルと、低域専用チャンネルの６チャンネル（以下５．１チャンネルと称する）の信号が入力し、それぞれのチャンネルの信号が対応して処理された後、上述した配置の各チャンネル用のスピーカに供給して放音させる。本例の場合には、このようなチャンネル構成のオーディオ信号は、例えばビデオディスク再生装置４から供給されるデジタルオーディオ信号の場合に存在するモードであり（他の機器から供給される場合もある）、後述するデジタルＲＦ入力部１１に得られるＲＦ変調されたオーディオ信号である。
【００１９】
ここで、このような５．１チャンネルのデジタルオーディオ信号などの場合に存在する低域専用チャンネルは、例えば１２０Ｈｚ程度よりも低域（この周波数帯域についてはシステムによる異なる）のオーディオ信号だけが存在するチャンネルで、この低域専用チャンネルを使用するモードは、Ｌ．Ｆ．Ｅモードと称する。Ｌ．Ｆ．Ｅモードで低域専用チャンネルが存在するデジタルオーディオ信号には、その低域専用チャンネルが存在することを示す何らかの識別信号が、オーディオ信号に含まれている。なお、５．１チャンネルのデジタルオーディオ以外のマルチチャンネルオーディオで、同様の低域専用チャンネルを使用して、Ｌ．Ｆ．Ｅモードとなる場合もある。また、２チャンネルのオーディオ信号がアンプ装置１０に入力した場合には、アンプ装置１０内で、その２チャンネルの信号を処理して各チャンネル成分を生成させて、各チャンネルのスピーカに供給して放音させることもできる。
【００２０】
次に、本例のアンプ装置１０の内部構成を、図１を参照して説明する。図１は、オーディオ信号の処理系と、その処理の制御系を示す図である。アンプ装置１０が備えるデジタルオーディオ信号の入力部としては、ＲＦ変調されたデジタルデータが供給されるデジタルＲＦ入力部１１と、光ファイバーケーブルが接続されてデジタルデータが供給される２つの光デジタル入力部１２，１３と、同軸ケーブルが接続されてデジタルデータが供給される同軸デジタル入力部１４とを備える。各デジタル入力部１１〜１４に得られるデジタルデータは、切換スイッチ２２に供給されて、このアンプ装置１０のシステムコントローラ３０の制御で、いずれかの入力部からのデジタルデータが選択され、その選択されたオーディオデータを、デジタル信号プロセッサ（ＤＳＰ）２３に供給する。この場合、デジタルＲＦ入力部１１に得られるＲＦ変調されたデジタルデータは、ＲＦ復調部２１にてＲＦ変調された信号から復調した後、切換スイッチ２２に供給する。またこのアンプ装置１０は、デジタルオーディオ信号の出力部１５を備え、切換スイッチ２２で選択されたデジタルデータ（この選択はＤＳＰ２３側に供給するための選択とは別の場合もある）を、出力部１５に接続された機器側に供給して、その機器でのデジタル録音などができるようにしてある。
【００２１】
アンプ装置１０が備えるアナログオーディオ信号の入力部としては、４つのアナログ入力部１６，１７，１８，１９を備える。各アナログ入力部１６〜１９に得られるアナログオーディオ信号は、切換スイッチ２４に供給されて、このアンプ装置１０のシステムコントローラ３０の制御で、いずれかの入力部からのオーディオ信号が選択され、その選択されたオーディオ信号を、デジタルデータに変換した後、デジタル信号プロセッサ２３に供給する。またこのアンプ装置１０は、アナログオーディオ信号の出力部２０を備え、切換スイッチ２４で選択されたオーディオ信号（この選択はＤＳＰ２３側に供給するための選択とは別の場合もある）を、出力部２０に接続された機器側に供給して、その機器での録音などができるようにしてある。
【００２２】
デジタル信号プロセッサ２３では、供給されるオーディオ信号に必要な処理を施す。このプロセッサ２３での処理としては、例えば各チャンネルのオーディオ信号により再生される音場を、任意の音場や音響状態に設定するサラウンド処理や、チャンネル数を変換する処理（例えば２チャンネルのオーディオ信号を５．１チャンネルのオーディオ信号に変換する処理やその逆の処理など）などがデジタル処理で行われる。このデジタル信号プロセッサ２３での処理は、システムコントローラ３０の制御に基づいて行われる。
【００２３】
デジタル信号プロセッサ２３で処理されたデジタルオーディオ信号は、デジタル／アナログ変換器（ＤＡＣ）２５に供給されて、アナログオーディオ信号に変換される。デジタル／アナログ変換器２５で変換されたオーディオ信号は、ローパスフィルタ２６により高調波成分が除去された後、アンプ部２７に供給されて、必要な増幅処理が行われると共に、出力処理部２８でミュート処理などの出力処理が必要により行われて、２系統のスピーカ端子部５１，５２に供給される。また、スピーカ端子部とは別のヘッドホン端子部５３が設けてあり、このヘッドホン端子部５３にヘッドホン用に処理されたオーディオ信号が供給される。そして、スピーカ端子部５１又は５２に接続されたスピーカ装置７から（実際には図２に示すように各チャンネル毎のスピーカ装置から個別に）、処理されたオーディオ信号が放音され、ヘッドホン端子部５３に接続されたヘッドホン装置８からもオーディオ信号が放音される。出力処理部２８で処理されたオーディオ信号が、それぞれの端子部５１，５２，５３に供給される構成の詳細については後述する。
【００２４】
このアンプ装置１０での処理を制御するシステムコントローラ３０は、マイクロコンピュータと称される演算回路で構成されるもので、赤外線信号受光部３１が受光したリモートコントロール装置からの赤外線信号と、アンプ装置１０に配置されたタクトキースイッチ３２，ロータリーエンコーダ３３，マスターボリューム３４の操作に基づいた信号とが供給されて、それぞれの信号に基づいた各種設定ができる。ロータリーエンコーダ３３は、入力切換え（ファンクション切換え）を行う回転型の操作スイッチである。マスターボリューム３４は、出力音量を調整するボリュームである。
【００２５】
また本例のアンプ装置１０は、蛍光表示管などで構成される表示部４０を備え、システムコントローラ３０から表示ドライバ３５に表示を制御する信号を供給することで、この表示部４０での表示がシステムコントローラ３０により制御される構成としてある。この場合、本例の表示部４０は、任意の文字，数字などが表示できる領域と、予め決められた文字，図形などが表示できる領域とが設けてあり、予め決められた所定の色で、ファンクション切換え状態やサラウンド処理状態などの各種動作状態を表示する。
【００２６】
次に、本例のＡＶアンプ装置１０の出力処理部２８で処理されたオーディオ信号が、スピーカ装置又はヘッドホン装置が接続される端子部５１，５２，５３に供給される構成の詳細を、図３を参照して説明する。
【００２７】
端子５０Ｌ，５０Ｒ，５０Ｃ，５０ＬＦＥ，５０ＳＬ，５０ＳＲは、ＡＶアンプ装置１０内で処理されてアナログ信号に変換されたオーディオ信号（図１でのローパスフィルタ２６の出力に相当）が得られる端子である。端子５０Ｌにはフロントの左チャンネルのオーディオ信号が得られ、端子５０Ｒにはフロントの右チャンネルのオーディオ信号が得られ、端子５０Ｃにはセンタチャンネルのオーディオ信号が得られ、５０ＬＦＥには低域専用チャンネルのオーディオ信号が得られ、端子ＳＬにはリアの左チャンネルのオーディオ信号が得られ、端子５０ＳＲにはリアの右チャンネルのオーディオ信号が得られる。各端子に得られるオーディオ信号は、各チャンネル毎のアンプ部２７Ｌ，２７Ｒ，２７Ｃ，２７ＬＦＥ，２７ＳＬ，２７ＳＲ（図１のアンプ部２７に相当）を介して、第１のスピーカ端子部５１の各チャンネル用のスピーカ端子５１Ｌ，５１Ｒ，５１Ｃ，５１ＬＦＥ，５１ＳＬ，５１ＳＲに供給する。各チャンネルのアンプ部２７Ｌ，２７Ｒ，２７Ｃ，２７ＬＦＥ，２７ＳＬ，２７ＳＲでは、いわゆる据え置き型のスピーカ装置を駆動できる比較的出力の大きな増幅処理（例えば数十〜百数十Ｗ程度の増幅）を行う。
【００２８】
ここで、フロントの左チャンネル用のアンプ部２７Ｌの出力と、フロントの右チャンネル用のアンプ部２７Ｒの出力については、スイッチ５９Ｌ，５９Ｒを介して第１のスピーカ端子部５１に供給する構成としてあり、このスイッチ５９Ｌ，５９Ｒの切換えにより、第２のスピーカ端子部５２のフロントの左チャンネル及び右チャンネル用のスピーカ端子５２Ｌ，５２Ｒにも、フロントの左チャンネル及び右チャンネルのオーディオ信号を供給できる構成としてある。スイッチ５９Ｌ，５９Ｒでは、第１のスピーカ端子部５１へのオーディオ信号の供給と、第２のスピーカ端子部５２へのオーディオ信号の供給とが、個別に選択できる構成としてあり、両端子部５１，５２に接続されたスピーカ装置に同時にオーディオ信号を供給することもできる。但し、第２のスピーカ端子部５２は、フロントの左右２チャンネルのスピーカ装置７Ｌ′，７Ｒ′だけが接続できる端子である。図３では、第１のスピーカ端子部５１と第２のスピーカ端子部５２の双方にスピーカ装置を接続した例を示したが、実際にはいずれか一方の系統だけを使用しても良い。
【００２９】
なお、フロントの左チャンネル用のアンプ部２７Ｌの入力部と、フロントの右チャンネル用のアンプ部２７Ｒの入力部とには、ヘッドホン端子部５３側に分岐するためのスイッチ５８Ｌ，５８Ｒが設けてある。このスイッチ５８Ｌ，５８Ｒでの切換処理の詳細については後述する。
【００３０】
次に、ヘッドホン端子部５３側にオーディオ信号を分岐するための構成を説明すると、端子５０Ｌ，５０Ｒ，５０Ｃ，５０ＬＦＥ，５０ＳＬ，５０ＳＲに得られる各チャンネル毎のオーディオ信号は、上述したスピーカ端子側の系とは別のヘッドホン端子用に分岐した後、２チャンネルのオーディオ信号とする混合処理が行われる。即ち、端子５０Ｌに得られるフロントの左チャンネルのオーディオ信号を、バッファアンプ５４Ｌを介して混合器５５Ｌに供給すると共に、端子５０Ｃに得られるセンタチャンネルのオーディオ信号をバッファアンプ５４Ｃを介して混合器５５Ｌに供給し、フロントの左チャンネルにセンタチャンネルのオーディオ信号を混合する。また、端子５０Ｒに得られるフロントの右チャンネルのオーディオ信号を、バッファアンプ５４Ｒを介して混合器５５Ｒに供給すると共に、端子５０Ｃに得られるセンタチャンネルのオーディオ信号をバッファアンプ５４Ｃを介して混合器５５Ｒに供給し、フロントの左チャンネルにセンタチャンネルのオーディオ信号を混合する。
【００３１】
そして、混合器５５Ｌでセンタチャンネルが混合されたフロントの左チャンネルのオーディオ信号を混合器５６Ｌに供給すると共に、端子５０ＳＬに得られるリアの左チャンネルのオーディオ信号を、バッファアンプ５４ＳＬを介して混合器５６Ｌに供給し、フロントの左チャンネルにリアの左チャンネルのオーディオ信号を混合する。また、混合器５５Ｒでセンタチャンネルが混合されたフロントの右チャンネルのオーディオ信号を混合器５６Ｒに供給すると共に、端子５０ＳＲに得られるリアの右チャンネルのオーディオ信号を、バッファアンプ５４ＳＲを介して混合器５６Ｒに供給し、フロントの右チャンネルにリアの右チャンネルのオーディオ信号を混合する。
【００３２】
さらに、混合器５６Ｌでリアチャンネルが混合された左チャンネルのオーディオ信号を混合器５７Ｌに供給すると共に、端子５０ＬＦＥに得られる低域専用チャンネルのオーディオ信号を、バッファアンプ５４ＬＦＥを介して混合器５７Ｌに供給し、左チャンネルのオーディオ信号に低域のオーディオ信号を混合する。また、混合器５６Ｒでリアチャンネルが混合された右チャンネルのオーディオ信号を混合器５７Ｒに供給すると共に、端子５０ＬＦＥに得られる低域専用チャンネルのオーディオ信号を、バッファアンプ５４ＬＦＥを介して混合器５７Ｒに供給し、右チャンネルのオーディオ信号に低域のオーディオ信号を混合する。
【００３３】
混合器５７Ｌで混合された左チャンネルのオーディオ信号は、スイッチ５８Ｌを介してヘッドホン用の左チャンネルのアンプ部２７ＨＬに供給し、このアンプ部２７ＨＬで増幅されたオーディオ信号を、ヘッドホン用端子部５３の左チャンネル用端子５３Ｌに供給する。混合器５７Ｒで混合された右チャンネルのオーディオ信号は、スイッチ５８Ｒを介してヘッドホン用の左チャンネルのアンプ部２７ＨＲに供給し、このアンプ部２７ＨＲで増幅されたオーディオ信号を、ヘッドホン用端子部５３の右チャンネル用端子５３Ｒに供給する。ヘッドホン用のアンプ部２７ＨＬ，２７ＨＲでは、ヘッドホン装置に内蔵された小型のスピーカユニットを駆動できる比較的出力の小さな増幅処理（例えば数〜数十ｍＷ程度の増幅）を行う。
【００３４】
ヘッドホン用のアンプ部２７ＨＬ，２７ＨＲの前段に設けられたスイッチ５８Ｌ，５８Ｒは、各混合器５５Ｌ，５５Ｒ，５６Ｌ，５６Ｒ，５７Ｌ，５７Ｒで混合されたオーディオ信号と、混合されてないオーディオ信号（即ち端子５０Ｌ，５０Ｒに得られるオーディオ信号）とを連動して切換えるスイッチある。従って、このスイッチ５８Ｌ，５８Ｒの切換えで、ヘッドホン用のアンプ部２７ＨＬ，２７ＨＲで増幅するオーディオ信号として、フロントの左右のチャンネルに他のチャンネルの成分が混合された信号と、フロントの左右のチャンネル成分だけの信号とを選択できる。また、スイッチ５８Ｌ，５８Ｒの切換状態によっては、各混合器５５Ｌ，５５Ｒ，５６Ｌ，５６Ｒ，５７Ｌ，５７Ｒで混合された２チャンネルのオーディオ信号を、端子５０Ｌ，５０Ｒに得られるフロントの２チャンネルのオーディオ信号の代わりに、各スピーカ端子部５１，５２に供給することもできる。
【００３５】
なお、図３に示した構成では、オーディオ信号の基本的な出力処理構成についてだけ示してあり、ミューティング処理用の構成などについては省略してある。
【００３６】
このようにオーディオ信号の出力部を構成したことで、スピーカ端子部５１，５２に接続された据え置き型のスピーカ装置からのオーディオ信号の出力と、ヘッドホン端子部５３に接続されたヘッドホン装置からのオーディオ信号の出力との双方を良好に行うことができる。特に、スイッチ５８Ｌ，５８Ｒでの切換えで選択される処理として、スピーカ端子部５１，５２側に供給されるオーディオ信号を、端子５０Ｌ，５０Ｒに得られるフロントの左右のチャンネルのオーディオ信号とし、ヘッドホン端子部５３側に供給されるオーディオ信号を、各混合器で他のチャンネルの信号が混合された左右のチャンネルのオーディオ信号とすることで、第１のスピーカ端子部５１に接続されたスピーカ装置からは、マルチチャンネルオーディオによる音場を適正に再現できる音の出力が行われると共に、ヘッドホン端子部５３に接続されたヘッドホン装置からは、左右２チャンネルのオーディオ信号に他のチャンネルの成分が混合された音の出力が行われる。従って、例えばビデオディスクなどから再生した映画の音声としてのマルチチャンネルオーディオを出力させたとき、スピーカ装置からは適正なステレオ音響による音場の再現ができると共に、ヘッドホン装置では台詞や効果音や低域音などが全て含まれたオーディオを聞き取ることができる。
【００３７】
ここで、スピーカ装置からのマルチチャンネルオーディオの出力と、ヘッドホン装置からの合成２チャンネルオーディオの出力とは、同時に出力が可能な構成としてあるため、例えばスピーカ装置からオーディオを出力させていた状態で、ヘッドホン端子部（ヘッドホンジャック）５３にヘッドホン装置８のプラグを挿入すると共に、スピーカ装置からの音の出力を停止させるスイッチ操作を行うだけで、マルチチャンネルのオーディオをヘッドホン装置で聞き取ることができ、出力されるオーディオ信号の処理状態を切換えるためのモード設定などが全く必要なく、簡単にスピーカ装置を使用した状態とヘッドホン装置を使用した状態との切換えが行える。また、各チャンネル毎のスピーカ装置からマルチチャンネルのオーディオを出力させた状態で、同時にヘッドホン装置から２チャンネルに合成されたオーディオをモニタすることも可能である。
【００３８】
なお、上述した実施の形態では、フロントの左右２チャンネルに、センタチャンネル，リアの左右のチャンネル及び低域専用チャンネルを混合して出力させるようにしたが、フロントの左右２チャンネルに、マルチチャンネルを構成する他のいずれかのチャンネルだけを混合するようにしても良い。例えば、フロントの左右２チャンネルに、それぞれセンタチャンネルのオーディオ信号だけを混合して、その混合された２チャンネルのオーディオ信号をヘッドホン端子５３側に供給するようにしても良い。このようにすることで、例えば映画の音声をヘッドホン装置で出力させる場合には、少なくとも台詞が左右のチャンネルに混合されるようになる。
【００３９】
また、フロントの左右２チャンネルに、それぞれセンタチャンネルのオーディオ信号を混合すると共に、リアの左右のチャンネルを、個別に混合するようにしても良い。このようにすることで、さらにリアのチャンネルに含まれる効果音がヘッドホン装置から出力される。
【００４０】
なお、上述した実施の形態では、５．１チャンネルなどのマルチチャンネルオーディオ信号は、ビデオディスク再生装置からアンプ装置に供給される信号としたが、他の映像機器やオーディオ機器から供給されるマルチチャンネルオーディオ信号（例えばチューナが受信した衛星放送波によるマルチチャンネルオーディオ信号）を、処理するようにしても良い。
【００４１】
また、上述した実施の形態では、マルチチャンネルのオーディオ信号として、５．１チャンネルで構成されるオーディオ信号としたが、他の３チャンネル以上のオーディオ信号でも良い。
【００４２】
さらに、上述した実施の形態では、ＡＶアンプ装置と称されるオーディオ機器での処理に適用したが、システムステレオ装置などの他のオーディオ機器と一体化されたオーディオ機器で、同様の処理を行う場合にも適用できる。
【００４３】
【発明の効果】
本発明によると、第１の出力部からマルチチャンネルのオーディオ信号が各チャンネル毎に個別に出力されると共に、第２の出力部からは少なくともセンタチャンネルの信号成分が混合された２チャンネルのオーディオが出力され、１台のオーディオ機器から２種類の異なる信号処理形態のマルチチャンネルオーディオを出力させることが可能になる。
【００４４】
さらに、第１の出力部は、据え置き型のスピーカ装置用に増幅されたオーディオ信号を出力し、第２の出力部は、ヘッドホン装置用に増幅されたオーディオ信号を出力することで、第１の出力部に接続された据え置き型のスピーカ装置からのマルチチャンネルオーディオの出力と、第２の出力部に接続されたヘッドホン装置からの２チャンネルオーディオの出力との双方が、モード設定などの操作を行うことなく良好に行える。
【００４５】
さらにまた、入力部には、さらに左リアチャンネルのオーディオ信号と、右リアチャンネルのオーディオ信号が入力し、第２の出力部では、左チャンネルのオーディオ信号に左リアチャンネルのオーディオ信号を混合すると共に、右チャンネルのオーディオ信号に右リアチャンネルのオーディオ信号を混合することで、第２の出力部に接続された２チャンネル用のヘッドホン装置又はスピーカ装置から、リアチャンネルを含むマルチチャンネル用のオーディオ信号が良好に出力される。
【００４６】
さらにまた、入力部には、さらに低域専用チャンネルのオーディオ信号が入力し、第２の出力部では、左チャンネルのオーディオ信号と右チャンネルのオーディオ信号とに、低域専用チャンネルのオーディオ信号を混合することで、第２の出力部に接続された２チャンネル用のヘッドホン装置又はスピーカ装置から、低域専用チャンネルを含むマルチチャンネル用のオーディオ信号が良好に出力される。
【図面の簡単な説明】
【図１】本発明の一実施の形態によるアンプ装置の例を示すブロック図である。
【図２】本発明の一実施の形態によるシステム構成例を示す構成図である。
【図３】本発明の一実施の形態によるオーディオ信号出力部を示す構成図である。
【符号の説明】
７Ｃ，７Ｌ，７Ｒ，７ＳＬ，７ＳＲ，７ＳＷ…据え置き型のスピーカ装置、８…ヘッドホン装置、１０…アンプ装置、１１〜１４…デジタル入力部、１６〜１９…アナログ入力部、２３…デジタル信号プロセッサ（ＤＳＰ）、３０…システムコントローラ、５１…第１のスピーカ端子部、５２…第２のスピーカ端子部、５３…ヘッドホン端子部
【図１】
0004089020.tif 000002
【図２】
0004089020.tif 000003
【図３】
0004089020.tif 000004